(57)【要約】  微粒子が高度に除去された高水質の超純水を安定に製造することができる超純水製造装置が提供される。一次純水から超純水を製造するサブシステムを有する超純水製造装置であって、該サブシステムの最後段に膜装置が設けられている超純水製造装置において、該膜装置が直列に多段に設置されており、第１段の膜装置はＵＦ膜装置、ＭＦ膜装置又はＲＯ膜装置であり、最後段の膜装置はＵＦ膜装置又はイオン交換基修飾されていないＭＦ膜装置であることを特徴とする超純水製造装置。
2015050125.tif 000002
【特許請求の範囲】
【請求項１】
一次純水から超純水を製造するサブシステムを有する超純水製造装置であって、
該サブシステムの最後段に膜装置が設けられている超純水製造装置において、
該膜装置が直列に多段に設置されており、第１段の膜装置はＵＦ膜装置、ＭＦ膜装置又はＲＯ膜装置であり、最後段の膜装置はＵＦ膜装置又はイオン交換基修飾されていないＭＦ膜装置であることを特徴とする超純水製造装置。
【請求項２】
請求項１において、前記膜装置として、ＵＦ膜装置が直列に２段に設置されていることを特徴とする超純水製造装置。
【請求項３】
請求項１において、前記膜装置として、ＭＦ膜装置、ＲＯ膜装置及びＵＦ膜装置がこの順に３段に設置されていることを特徴とする超純水製造装置。
【請求項４】
請求項１ないし３のいずれか１項において、前記最後段の直前の段の膜装置の処理水の微粒子数を測定する微粒子測定手段を設けたこと特徴とする超純水製造装置。
【請求項５】
請求項１ないし４のいずれか１項において、前記最後段の膜装置の処理水の微粒子数を測定する微粒子測定手段を設けたこと特徴とする超純水製造装置。
【請求項６】
請求項４又は５において、２以上の前記膜装置の処理水の微粒子数を測定する微粒子測定手段を設けたことを特徴とする超純水製造装置。
【請求項７】
請求項６において、前記微粒子測定手段は、各膜装置毎に設けられていることを特徴とする超純水製造装置。
【請求項８】
請求項６において、複数の膜装置に対して１台の前記微粒子測定手段が設けられており、微粒子数測定のために各膜装置から該微粒子測定手段に送給する処理水を順番に切り換えることにより、該１台の微粒子測定手段で各々の膜装置の処理水の微粒子数の測定が行われることを特徴とする超純水製造装置。
【請求項９】
請求項１ないし８のいずれか１項において、前記膜装置は、並列に設けられた２以上の膜モジュールを有し、
該２以上の膜モジュールの各々の処理水の取出配管から分岐した、微粒子数測定のための水を採水して前記微粒子測定手段に送給するための、自動弁を備えた採水配管が設けられており、
該自動弁の切り換えにより、各膜モジュール毎の処理水の微粒子数の測定が行われるように構成されていることを特徴とする超純水製造装置。
【請求項１０】
請求項９において、更に、前記２以上の膜モジュールからの各処理水が合流する前記膜装置の処理水の取出配管に分岐して、微粒子数測定のための水を採水して前記微粒子測定手段に送給するための、自動弁を備えた採水配管が設けられており、
前記２以上の膜モジュールの各々の処理水の取出配管から分岐した採水配管に設けられた自動弁と、該膜装置の処理水の取出配管から分岐した採水配管に設けられた自動弁の切り換えにより、該各膜モジュール毎の処理水の微粒子数と該膜装置の処理水の微粒子数との測定が行われるように構成されていることを特徴とする超純水製造装置。
【発明の詳細な説明】
【技術分野】
【０００１】
本発明は、超純水の製造装置に係り、特に一次純水システムとサブシステムとを備えた超純水製造装置に関する。
【背景技術】
【０００２】
半導体洗浄用水として用いられている超純水は、一次純水システム、サブシステム（二次純水システム）等から構成される超純水製造装置により製造される。一次純水システムの前段に前処理システムが設けられることもある。【０００３】
前処理システムでは、凝集、加圧浮上（沈殿）、濾過（膜濾過）装置などにより、原水中の懸濁物質やコロイド物質等が除去される。【０００４】
一次純水システムでは、逆浸透膜分離装置、脱気装置及びイオン交換装置（混床式又は４床５塔式など）等によって、水中のイオンや有機成分等が除去されて一次純水が製造される。サブシステムでは、低圧紫外線酸化装置、イオン交換純水装置及び限外濾過膜（ＵＦ膜）装置等により一次純水が高度に処理されて超純水とされる。このサブシステムの最後段にはＵＦ膜装置が配置され、イオン交換樹脂などから生じる微粒子が除去される。【０００５】
近年、半導体製造プロセスの発展により水中の微粒子管理が厳しくなっている。Ｉｎｔｅｒｎａｔｉｏｎａｌ  Ｔｅｃｈｎｏｌｏｇｙ  Ｒｏａｄｍａｐ  ｆｏｒ  Ｓｅｍｉｃｏｎｄｕｃｔｏｒｓは２０１９年には粒子径＞１１．９ｎｍの保証値＜１，０００個／Ｌ（管理値＜１００個／Ｌ）とすることを求めている。【０００６】
サブシステム最後段に設置される膜装置としてはＵＦ膜装置が主として用いられている。ＵＦ膜を用いて微粒子を除去するには、膜面の細孔径が微粒子径より小さい膜を用いることが望ましいが、ＵＦ膜面には無数の細孔が存在し、その孔径にばらつきがある。このため１０ｎｍ程度の微粒子を完全に除去することは出来ないという欠点があった。【０００７】
精密濾過膜（ＭＦ膜）の細孔径はサブミクロンオーダーでＵＦ膜の細孔径より大きいため、透過水中の微粒子数を１００個以下／Ｌ（粒子径＞１０ｎｍ）レベルで管理することは難しい。逆浸透膜（ＲＯ膜）は孔径がＵＦ膜より小さいため、高度な微粒子除去が理論上可能であるが、モジュールとしての清浄度が低く、微粒子を発生させてしまう（例えばポッティング材からの発塵）という問題があり、サブシステムの末端微粒子除去ユニットとしては適用できなかった。【０００８】
超純水中の微粒子数を低減させるために、サブシステムに膜分離装置を２段に直列に設けることがある（特許文献１〜４）。特許文献１の図２，３には、超純水製造装置の最後段にＵＦ膜装置とイオン交換基修飾ＭＦ膜装置とをこの順に直列に設置することが記載されている。特許文献２の図４（ａ）には、２次純水装置の末端のＵＦ膜装置の後段に逆浸透膜（ＲＯ膜）装置を設けることが記載されている。特許文献３には、２次純水装置にＵＦ膜装置と、孔径５００〜５０００Åのアニオン吸着膜装置とを設けることが記載されている。特許文献４には、超純水製造用分離膜モジュールとして用いられるＵＦ又はＭＦ（精密濾過）膜装置の前段に、粒径０．０１ｍｍ（１０μｍ）以上の粒子を阻止するプレフィルタを設けることが記載されている。【０００９】
特許文献１のように、ＵＦ膜装置とイオン交換基修飾ＭＦ膜とを直列に設けた場合、イオン交換基修飾ＭＦ膜から交換基体が脱離して微粒子源となるという短所がある。【００１０】
特許文献２のように、ＵＦ膜装置とＲＯ膜装置とを直列に配置した場合、ＲＯ膜から微粒子が発生することがあるため、超純水の水質が低下するおそれがある。【００１１】
特許文献３には、アニオン吸着膜として、具体的には、孔径０．２μｍ（２０００Å）、空孔率６０％、膜厚０．３５ｍｍの中空糸膜が示されている（００２３段落）。このアニオン吸着膜によると、シリカを高度に除去することが出来るが、超純水レベルの微小な微粒子は除去できないという短所がある。【００１２】
特許文献４のプレフィルタは、１０μｍ以上のゴミが最終段のＵＦ又はＭＦ膜に衝突して膜破損を生じさせることを防止するためのものであり、１０μｍよりも小さい粒子は除去されない。【００１３】
このように、特許文献１〜４には、サブシステムの末端微粒子除去ユニットとして、膜装置を多段に設けることが記載されているが、いずれも十分に満足し得る微粒子除去効果を得ることができるものではなかった。
【先行技術文献】
【特許文献】
【００１４】
【特許文献１】特開２００４−２８３７１０
【特許文献２】特開２００３−１９０９５１
【特許文献３】特開平１０−２１６７２１
【特許文献４】特開平４−３３８２２１
【発明の概要】
【発明が解決しようとする課題】
【００１５】
本発明は、微粒子が高度に除去された高水質の超純水を安定に製造することができる超純水製造装置を提供することを目的とする。
【課題を解決するための手段】
【００１６】
本発明の超純水製造装置は、一次純水から超純水を製造するサブシステムを有する。該サブシステムの最後段に膜装置が設けられている。該膜装置が直列に多段に設置されており、第１段の膜装置はＵＦ膜装置、ＭＦ膜装置又はＲＯ膜装置であり、最後段の膜装置はＵＦ膜装置又はイオン交換基修飾されていないＭＦ膜装置である。【００１７】
本発明では、前記膜装置として、ＵＦ膜装置が直列に２段に設置されていることが好ましい。前記膜装置として、ＭＦ膜装置、ＲＯ膜装置及びＵＦ膜装置がこの順に３段に設置されてもよい。【００１８】
本発明では、膜装置の処理水の微粒子数を測定する微粒子測定手段を設け、処理水の微粒子を管理することが好ましい。最後段の直前の段（後ろから２段目）の膜装置の処理水の微粒子数を測定する微粒子測定手段、及び／又は、最後段の処理水の微粒子数を測定する微粒子測定手段を設け、これらの膜装置からの微粒子のリークないしは微粒子除去率の低下を検知して、必要に応じて膜交換等のメンテナンスを行うことが、得られる超純水について高度な微粒子管理を安定的に行う上で好ましい。【００１９】
２以上の膜装置の処理水の微粒子数を測定する場合、微粒子測定手段は、各膜装置毎に１台ずつ設けられていてもよく、複数の膜装置に対して１台の微粒子測定手段を設け、微粒子数測定のために各膜装置から該微粒子測定手段に送給する処理水を順番に切り換えることにより、１台の微粒子測定手段で各膜装置の処理水の微粒子数の測定が行われるように構成されていてもよい。【００２０】
膜装置が並列に設けられた２以上の膜モジュールを有する場合、各々の膜モジュールについて微粒子管理を行うことが好ましい。従って、並列に設けられた２以上の膜モジュールの各々の処理水の取出配管に分岐して、微粒子数測定のための水を採水して微粒子測定手段に送給するための、自動弁を備える採水配管を設け、この自動弁により、採水する膜モジュールを切り換えて、各膜モジュールの処理水の微粒子数測定を順番に行うようにすることが好ましい。更に膜装置を構成する膜モジュールからの各々の処理水が合流した、当該膜装置の処理水についても同様に微粒子数の測定を行うことができるように、この合流水が流れる集合配管にも同様に自動弁を備えた採水配管を分岐して設けることが好ましい。自動弁のかわりに手動弁を用いても良い。
【発明の効果】
【００２１】
本発明の超純水製造装置では、サブシステムの最後段にＵＦ膜装置等を直列に多段に設けており、微粒子数が著しく少ない高水質の超純水が製造される。本発明によると、粒子径が１０ｎｍ以上の微粒子数が１００個／Ｌよりも低い高水質の超純水を製造することが可能である。【００２２】
本発明では、多段に配置された膜装置のうち最下流側の膜装置をＵＦ膜装置又はイオン交換基修飾されていないＭＦ膜装置としているため、ＲＯ膜装置のように膜装置の自体から微粒子が発生するおそれはない。ＭＦ膜装置としてイオン交換基修飾されていないＭＦ膜装置を用いるため、交換基体が脱離して微粒子源となるという短所もない。【００２３】
最後段の直前の膜装置の処理水、及び／又は、最後段の膜装置の処理水の微粒子数を測定する微粒子測定手段を設け、この微粒子測定手段の測定結果に基づいて、必要に応じて膜交換等のメンテナンスを行うことにより、粒子径が１０ｎｍ以上の微粒子数が１００個／Ｌよりも低い高水質の超純水を安定にかつ確実に製造することが可能となる。【００２４】
即ち、膜装置では、処理を継続すると経時的に膜面に微粒子が蓄積することにより、処理水中に微粒子がリークする場合があり、また、何らか外的負荷がかかって膜が破損した場合にも処理水中に微粒子がリークして、得られる超純水の水質を低下させる危険性があるが、このように微粒子測定手段を設けて膜処理水の微粒子数をモニタリングして管理することにより、処理水への微粒子のリークを未然に防止することができる。
【図面の簡単な説明】
【００２５】
【図１】超純水製造装置の実施の形態を示すフロー図である。
【図２】超純水製造装置の実施の形態を示すフロー図である。
【図３】超純水製造装置の実施の形態を示すフロー図である。
【図４】第１膜装置と第２膜装置に微粒子測定手段を設けた実施の形態を示すフロー図である。
【図５】微粒子測定手段を設けた別の実施の形態を示すフロー図である。
【図６】図６ａ，６ｂは、実施例８におけるＵＦ膜モジュール１７ＡとＵＦ膜モジュール１７Ｂの処理水の微粒子濃度の経時変化を示すグラフである。
【発明を実施するための形態】
【００２６】
以下、図面を参照して実施の形態について説明する。
【００２７】
本発明の超純水製造装置では、サブシステムの最後段側に、膜装置が２段又はそれ以上に直列に設置されている。このサブシステムを有する超純水製造装置の全体フローの一例を図１〜３に示す。
【００２８】
図１〜３の各超純水製造装置は、いずれも前処理システム１、一次純水システム２及びサブシステム３から構成される。
【００２９】
凝集、加圧浮上（沈殿）、濾過装置等よりなる前処理システム１では、原水中の懸濁物質やコロイド物質の除去を行う。逆浸透（ＲＯ）膜分離装置、脱気装置及びイオン交換装置（混床式、２床３塔式又は４床５塔式）を備える一次純水システム２では原水中のイオンや有機成分の除去を行う。なお、ＲＯ膜分離装置では、塩類除去のほかにイオン性、コロイド性のＴＯＣを除去する。イオン交換装置では、塩類除去のほかにイオン交換樹脂によって吸着又はイオン交換されるＴＯＣ成分を除去する。脱気装置（窒素脱気又は真空脱気）では溶存酸素の除去を行う。
【００３０】
図１の超純水製造装置では、このようにして得られた一次純水（通常の場合、ＴＯＣ濃度２ｐｐｂ以下の純水）を、サブタンク１１、ポンプＰ、熱交換器１２、ＵＶ酸化装置１３、触媒式酸化性物質分解装置１４、脱気装置１５、混床式脱イオン装置（イオン交換装置）１６、微粒子除去用第１膜装置１７及び第２膜装置１８に順次に通水し、得られた超純水をユースポイント１９に送る。
【００３１】
ＵＶ酸化装置１３としては、通常、超純水製造装置に用いられる１８５ｎｍ付近の波長を有するＵＶを照射するＵＶ酸化装置、例えば低圧水銀ランプを用いたＵＶ酸化装置を用いることができる。このＵＶ酸化装置１３で、一次純水中のＴＯＣが有機酸、更にはＣＯ２に分解される。また、このＵＶ酸化装置１３では過剰に照射されたＵＶにより、水からＨ２Ｏ２が発生する。
【００３２】
ＵＶ酸化装置１３の処理水は、次いで触媒式酸化性物質分解装置１４に通水される。触媒式酸化性物質分解装置１４の酸化性物質分解触媒としては、酸化還元触媒として知られる貴金属触媒、例えば、金属パラジウム、酸化パラジウム、水酸化パラジウム等のパラジウム（Ｐｄ）化合物又は白金（Ｐｔ）、なかでも還元作用の強力な白金（Ｐｔ）触媒を好適に使用することができる。
【００３３】
この触媒式酸化性物質分解装置１４により、ＵＶ酸化装置１３で発生したＨ２Ｏ２、その他の酸化性物質が触媒により効率的に分解除去される。そして、Ｈ２Ｏ２の分解により、水は生成するが、アニオン交換樹脂や活性炭のように酸素を生成させることは殆どなく、ＤＯ増加の原因とならない。
【００３４】
触媒式酸化性物質分解装置１４の処理水は、次いで脱気装置１５に通水される。脱気装置１５としては、真空脱気装置、窒素脱気装置や膜式脱気装置を用いることができる。この脱気装置１５により、水中のＤＯやＣＯ２が効率的に除去される。
【００３５】
脱気装置１５の処理水は次いで混床式イオン交換装置１６に通水される。混床式イオン交換装置１６としては、アニオン交換樹脂とカチオン交換樹脂とをイオン負荷に応じて混合充填した非再生型混床式イオン交換装置を用いる。この混床式イオン交換装置１６により、水中のカチオン及びアニオンが除去され、水の純度が高められる。なお、混床式イオン交換装置１６の代わりに多床式のイオン交換装置や電気再生式イオン交換装置などが用いられてもよい。
【００３６】
図１の構成は本発明の超純水製造装置の一例であり、本発明の超純水製造装置は、上記以外の各種の機器を組み合わせることができる。例えば、図２のように、ＵＶ酸化装置１３からのＵＶ照射処理水をそのまま混床式脱イオン装置１６に導入してもよい。図３のように、触媒式酸化性物質分解装置１４の代わりにアニオン交換塔１９を設置してもよい。
【００３７】
図示はしないが、混床式イオン交換装置の後にＲＯ膜分離装置を設置しても良い。また、原水をｐＨ４．５以下の酸性下、かつ、酸化剤存在下で加熱分解処理して原水中の尿素及び他のＴＯＣ成分を分解した後、脱イオン処理する装置を組み込むこともできる。ＵＶ酸化装置や混床式イオン交換装置、脱気装置等は多段に設置されても良い。また、前処理システム１や一次純水システム２についても、何ら上述のものに限定されるものではなく、他の様々な装置の組み合せを採用し得る。
【００３８】
第１膜装置１７の膜としては、ＵＦ膜、ＭＦ膜、ＲＯ膜のいずれを用いてもよい。第２膜装置１８の膜としては、ＵＦ膜又はイオン交換基修飾されていないＭＦ膜を用いる。従って、第１膜装置１７と第２膜装置１８の組み合わせとしては、次の６通りとなる。
（１）  ＵＦ膜−ＵＦ膜
（２）  ＵＦ膜−イオン交換基修飾されていないＭＦ膜
（３）  ＭＦ膜−ＵＦ膜
（４）  ＭＦ膜−イオン交換基修飾されていないＭＦ膜
（５）  ＲＯ膜−ＵＦ膜
（６）  ＲＯ膜−イオン交換基修飾されていないＭＦ膜
【００３９】
膜装置は３段以上直列に設置されてもよい。例えば、ＭＦ膜装置−ＲＯ膜装置−ＵＦ膜装置のように膜装置が３段に設置されてもよい。
【００４０】
膜装置１７，１８としてＭＦ膜装置、ＵＦ膜装置を用いる場合、その膜の孔径は１μｍ以下、特に０．００１〜１μｍ、とりわけ０．００１〜０．５μｍが好ましい。厚さは０．０１〜１ｍｍであることが好ましい。材質は、ポリオレフィン、ポリスチレン、ポリスルホン、ポリエステル、ポリアミド、セルロース系、ポリビニリデンフロライド、ポリテトラフルオロエチレンなどを挙げることができる。
【００４１】
このように構成された超純水製造装置では、サブシステムの最後段にＵＦ膜装置等を直列に多段に設けており、微粒子数が著しく少ない高水質の超純水が製造される。また、多段に配置された膜装置のうち最下流側の膜装置をＵＦ膜装置又はイオン交換基修飾されていないＭＦ膜装置としているため、ＲＯ膜装置のように膜装置の自体から微粒子が発生するおそれはない。また、ＭＦ膜装置としてイオン交換基修飾されていないＭＦ膜装置を用いるため、交換基体が脱離して微粒子源となるという短所もない。
【００４２】
本発明では、膜装置はクロスフロー方式とすることが好ましく、運転時は回収率を９５％程度までとすることが好ましい。それ以上のブライン流量の低下は、膜面への微粒子堆積を招くことになり、微粒子阻止率が低下するおそれがある。回収率を９５％程度とし、直列段数は給水水質に応じて変更するようにしてもよい。
【００４３】
ＵＦ膜装置を２段で用いた時の微粒子除去は次式で与えられる。
Ｃ１＝Ｃ０×（１−Ｒｅ／１００）＋Ｂ
Ｃ２＝Ｃ１×（１−Ｒｅ／１００）＋Ｂ
Ｃ０：ＵＦ膜給水中の微粒子濃度［個／ｍＬ］
Ｃ１：１段目ＵＦ膜処理水中の微粒子濃度［個／ｍＬ］
Ｃ２：２段目ＵＦ膜処理水中の微粒子濃度［個／ｍＬ］
Ｒｅ：ＵＦ膜での微粒子阻止率［％］
Ｂ：ＵＦ膜材自体から発生する微粒子数［個／ｍＬ］
微粒子除去膜の粒子阻止率は、モデルナノ粒子を通水して給水と処理水の微粒子数を測定することにより算出する。
【００４４】
ＭＦ膜はＵＦ膜より孔径が大きいが、膜材質の違いにより膜での吸着効果が期待できる。膜としての微粒子阻止率はＵＦ膜がＭＦ膜より優れるため、ＭＦ膜とＵＦ膜を多段で用いる場合、末端はＵＦ膜装置を設置することが望ましいがこの限りではない。
【００４５】
ＲＯ膜は微粒子阻止率ではＵＦ膜に勝るものの、膜材またはポッティング部材から微粒子が発生するため、第１膜装置としてＲＯ膜装置を設置した場合、最下流にＵＦ膜を設置し、微粒子を高度に除去することが好ましい。
【００４６】
２段又は３段以上に直列に設置された膜装置の各段の途中に昇圧用ポンプ、バルブが設けられてもよい。例えば、膜装置を多段に直列に設置すると、圧力損失が大きくなるため、圧力損失を考慮して膜装置同士の間にポンプを設けることができる。この場合、ポンプやバルブから発塵する微粒子を除去するため、末端にはＵＦ膜を設置させることが好ましい。膜装置同士の間には、混床式イオン交換装置、触媒式酸化性物質分解装置のような粒子充填設備は、粒子の破砕による微粉発生が懸念されるため、設置しないことが望ましい。最後段ＵＦ膜より下流側にはクリーン配管以外を設置しないことが好ましい。
【００４７】
本発明装置では、回収率を大きく設定しすぎると膜面に微粒子が堆積するおそれがあるため、回収率の範囲に注意するのが好ましい。除去対象とする微粒子の粒径、被処理水の流量、及び目標水質から、微粒子除去膜種および設置段数を設計するのが好ましい。
【００４８】
膜装置では、処理を継続すると経時的に膜面に微粒子が蓄積することにより、処理水中に微粒子がリークする場合があり、また、何らか外的負荷がかかって膜が破損した場合にも処理水中に微粒子がリークして、得られる超純水の水質を低下させる危険性がある。このため、本発明においては、微粒子測定手段を設けて膜処理水の微粒子数をモニタリングして管理することにより、処理水への微粒子のリークを未然に防止することが好ましい。
【００４９】
以下に、図４，５を参照して微粒子測定手段を用いた微粒子管理システムについて説明する。図４，５において、同一機能を奏する部材には同一符号を付してある。
【００５０】
微粒子測定手段としては特に制限はなく、市販の微粒子測定手段を用いることができる。
【００５１】
図４は、第１膜装置１７の処理水の微粒子数を測定する微粒子測定器３１と第２膜装置１８の処理水の微粒子数を測定する微粒子測定器３２とを設けて処理水の微粒子管理を行うシステムを示すフロー図である。
【００５２】
以下において、第１膜装置１７に供給される前段の処理水（例えば、図１〜３の超純水製造装置であれば混床式脱イオン装置１６の処理水）を「第１膜給水」と称し、第２膜装置１８に供給される水（通常は第１膜装置１７の処理水）を「第２膜給水」と称し、第１膜装置１７の処理水、第２膜装置１８の処理水をそれぞれ「第１膜処理水」「第２膜処理水」と称す。
【００５３】
図４において、第１膜装置１７、第２膜装置１８は、それぞれ３つの膜モジュール１７Ａ〜１７Ｃ、１８Ａ〜１８Ｃが並列に設けられている。
【００５４】
第１膜装置１７の各膜モジュール１７Ａ〜１７Ｃには、それぞれ配管２１より分岐配管２１ａ，２１ｂ，２１ｃを経て第１膜給水が導入され、第１膜処理水が分岐配管２２ａ，２２ｂ，２２ｃ及び集合配管２２を経て第２膜装置１８に送給され、膜濃縮水が分岐配管２３ａ，２３ｂ，２３ｃ及び集合配管２３を経てサブシステムの入口側（図１〜３の超純水製造装置であれば、サブタンク１１）に返送されるように構成されている。同様に、第２膜装置１８の各膜モジュール１８Ａ〜１８Ｃには、それぞれ集合配管２２より分岐配管２４ａ，２４ｂ，２４ｃを経て第２膜給水（第１膜処理水）が導入され、第２膜処理水が分岐配管２５ａ，２５ｂ，２５ｃ及び集合配管２５を経て超純水としてユースポイントに送給され、膜濃縮水が分岐配管２６ａ，２６ｂ，２６ｃ及び集合配管２６を経てサブシステムの入口側（図１〜３の超純水製造装置であれば、サブタンク１１）に返送されるように構成されている。
【００５５】
第１膜装置１７の各膜モジュール１７Ａ〜１７Ｃから処理水を取り出す分岐配管２２ａ〜２２ｃと集合配管２２には、それぞれ微粒子測定器３１に処理水の一部を採水して送給するための採水分岐配管２７ａ，２７ｂ，２７ｃ，２７ｄが接続されており、各分岐配管２７ａ〜２７ｄで採水された水は、集合採水配管２７を経て微粒子測定器３１に送給されて微粒子数の測定が行われる。同様に、第２膜装置１８の各膜モジュール１８Ａ〜１８Ｃから処理水を取り出す分岐配管２５ａ〜２５ｃと集合配管２５には、それぞれ微粒子測定器３２に処理水の一部を採水して送給するための採水分岐配管２８ａ，２８ｂ，２８ｃ，２８ｄが接続されており、各分岐採水配管２８ａ〜２８ｄで採水された水は、集合採水配管２８を経て微粒子測定器３２に送給されて微粒子数の測定が行われる。
Ｖ１〜Ｖ１８，Ｖ２０，Ｖ３０は各配管に設けられた自動弁である。
【００５６】
第１膜装置１７の膜モジュール１７Ｃ及び第２膜装置１８の膜モジュール１８Ｃは予備の膜モジュールであって、通常は、膜モジュール１７Ａ，１７Ｂと膜モジュール１８Ａ，１８Ｂで微粒子除去が行われる。
【００５７】
従って、各配管に設けられた自動弁Ｖ１〜Ｖ１８，Ｖ２０，Ｖ３０のうち、Ｖ７〜Ｖ９及びＶ１６〜Ｖ１８は閉とされ、自動弁Ｖ１，Ｖ２，Ｖ４，Ｖ５，Ｖ１０，Ｖ１１，Ｖ１３，Ｖ１４が開とされている。また、自動弁Ｖ３とＶ６とＶ２０は順番に開閉する。同様に自動弁Ｖ１２とＶ１５とＶ３０は順番に開閉する。
【００５８】
第１膜給水は配管２１より分岐配管２１ａ，２１ｂを経て膜モジュール１７Ａ，１７Ｂに導入されて膜処理され、処理水は分岐配管２２ａ，２２ｂ及び集合配管２２を経て第２膜装置１８に送給される。膜モジュール１７Ａ，１７Ｂで微粒子が濃縮された濃縮水は分岐配管２３ａ，２３ｂ、集合配管２３を経てサブシステムの入口側のサブタンクに返送される。
【００５９】
第１膜処理水は集合配管２２より分岐配管２４ａ，２４ｂを経て膜モジュール１８Ａ，１８Ｂに導入されて膜処理され、処理水（超純水）は分岐配管２５ａ，２５ｂ及び集合配管２５を経てユースポイントに送給される。膜モジュール１８Ａ，１８Ｂで微粒子が濃縮された濃縮水は分岐配管２６ａ，２６ｂ、集合配管２６を経てサブシステムの入口側のサブタンクに返送される。
【００６０】
図４の実施の形態では、自動弁Ｖ３と自動弁Ｖ６と自動弁Ｖ２０が順番に開閉するため、膜モジュール１７Ａからの処理水と膜モジュール１７Ｂからの処理水とこれらが合流した第１膜装置１７からの第１膜処理水の一部が順番に微粒子測定器３１に送給される。このため、１つの微粒子測定器３１により、微粒子除去に使用している膜モジュール１７Ａ，１７Ｂの処理水と、これらを合わせた第１膜処理水中の微粒子数を順番に測定することができる。同様に、自動弁Ｖ１２と自動弁Ｖ１５と自動弁Ｖ３０が順番に開閉するため、膜モジュール１８Ａからの処理水と膜モジュール１８Ｂからの処理水とこれらが合流した第２膜装置１８からの第２膜処理水の一部が順番に微粒子測定器３２に送給される。このため、１つの微粒子測定器３２により、微粒子除去に使用している膜モジュール１８Ａ，１８Ｂの処理水と、これらを合わせた第２膜処理水中の微粒子数を順番に測定することができる。
【００６１】
このように、各膜装置において微粒子除去に使用している膜モジュールの各々及び全体の膜処理水について、処理水中の微粒子数を測定することにより、膜モジュール毎の微粒子のリークないしは微粒子除去率の低下を検知すると共に、膜装置自体の性能をモニタリングすることができる。いずれかの膜モジュールの微粒子のリークないしは微粒子除去率の低下を検知した場合には、当該膜モジュールへの給水の供給を停止し、予備の膜モジュールへの給水に切り換え、予備の膜モジュールで微粒子除去を行う。具体的には、膜モジュール１７Ａの処理水中に微粒子がリークし始めたり、微粒子除去率が低下したりしたことを検知した場合には、自動弁Ｖ１，Ｖ２，Ｖ３を閉、自動弁Ｖ７，Ｖ８を開として、Ｖ９については、自動弁Ｖ６及び自動弁Ｖ２０と順番に開閉するようにすることで、膜モジュール１７Ｂの処理水と膜モジュール１７Ｃとで微粒子除去の膜処理を行うと共に、膜モジュール１７Ｂの処理水と膜モジュール１７Ｃの処理水と第１膜処理水の一部を順番に採水して微粒子測定器３１で微粒子数の測定を行う。この間に、膜モジュール１７Ａについては、膜交換等のメンテナンスを行う。
【００６２】
第２膜装置１８についても同様に処理を行うことができる。
【００６３】
微粒子数測定のための水を採水するための自動弁の切り換えの頻度については特に制限はないが、１つの膜モジュール及び膜装置全体の膜処理水において、３０〜６０分間連続して微粒子数の測定を行うことができる程度であることが好ましい。
【００６４】
このように、各膜装置に並列に設けられた膜モジュールの各々及び当該膜装置の膜処理水について、処理水の微粒子測定を行うと共に、必要に応じて流路切り換えを行うことにより、膜処理水への微粒子のリークを確実に防止して、高水質の超純水を安定に得ることができるようになる。
【００６５】
図５は、図４における２台の微粒子測定器３１，３２の代りに１台の微粒子測定器３０を設け、採水配管２７ａ〜２７ｄ及び採水配管２８ａ〜２８ｄからの水を集合採水配管２９を経て順番に微粒子測定器３０に送給して各処理水の微粒子数の測定を１台の微粒子測定器３０で行うことができるように構成した点が図４に示す微粒子管理システムとは異なり、その他は同様の構成とされている。
【００６６】
このように、複数の膜装置に対して１台の微粒子測定器を設け、自動弁の切り換えにより順番に各部の処理水の微粒子数の測定を行えるように構成することにより、微粒子測定器の台数を削減し、微粒子測定器を超純水製造装置に付設することにより、超純水製造装置が過大となることを防止し、設備コストの低減、メンテナンスの作業の軽減を図ることができる。
【００６７】
膜装置に設けられる膜モジュールの数には特に制限はなく、通常、２〜２０個の範囲で設定される。また、予備の膜モジュールは１個に限らず、２個以上設けてもよい。
【００６８】
膜処理水の微粒子数の測定は、最後段の膜装置について行ってもよく、また、最後段の直前の段の膜装置について行ってもよい。また、多段に設けられた膜装置のすべてについて処理水の微粒子数の測定を行ってもよい。
【００６９】
一般に、最後段の膜装置は仕上げの微粒子除去を行う膜装置であり、最後段の直前の段までの膜装置においてある程度の微粒子除去率が得られれば、最後段の膜装置の処理水への微粒子のリークは防止されるため、少なくとも最後段の直前の段の膜装置に、膜処理水の微粒子数を測定する微粒子測定手段を設けることが好ましく、最後段の直前の段の膜装置と最後段の膜装置の両方に微粒子測定手段を設けてこれらの膜装置の処理水の微粒子数を測定するようにすることが好ましい。
【００７０】
本実施の態様では、第１膜装置１７および第２膜装置１８も、その濃縮水（ブライン水）はサブタンクに返送されているが、これに限定されず、別途設けたブライン回収用タンクに供給するようにしてもよい。
【実施例】
【００７１】
以下に実施例を挙げて本発明をより具体的に説明する。【００７２】
以下において、微粒子濃度は、水中の粒径１０ｎｍ以上の微粒子数を、遠心濾過−ＳＥＭ法による微粒子測定器によって測定して求めた値である。【００７３】
［実施例１］
図１に示す超純水製造装置において、サブシステムの末端の第１膜装置１７及び第２膜装置１８としてＵＦ膜装置（外圧型中空糸膜、材質：ポリスルホン、公称分画分子量：６，０００（インシュリン）、阻止率Ｒｅ：９９．９０％）を設置し、超純水を製造した。各膜装置の給水及び処理水の微粒子濃度の測定結果等を表１に示す。【００７４】
【表１】
2015050125.tif 000003
【００７５】
表１の通り、１段目の第１膜装置１７の処理水中の微粒子濃度は１，０００個／Ｌ以上であるが、第２膜装置１８の処理水中の微粒子濃度は５１個／Ｌであり、ＵＦ膜装置を２段に設置することにより、微粒子濃度が１００個／Ｌ以下となることが認められた。【００７６】
［実施例２〜６］
第１膜装置と第２膜装置の膜の組み合わせを表２の通りとしたこと以外は実施例１と同様にして超純水を製造し、水中の微粒子数を測定して微粒子濃度を求めた。結果を表２に示す。なお、ＵＦ膜装置以外の各膜装置としては、次のものを用いた。
イオン交換基修飾されていないＭＦ膜装置：外圧型中空糸膜、材質：表面改質ＰＴＦＥ、孔径５０ｎｍ
ＲＯ膜装置：スパイラル型、材質：ポリアミド【００７７】
［実施例７］
膜装置をＭＦ膜装置−ＲＯ膜装置−ＵＦ膜装置の３段直列設置としたこと以外は実施例１と同様にして超純水を製造し、水中の微粒子数を測定して微粒子濃度を求めた。結果を表２に示す。なお、各膜装置としては上記のものを用いた。【００７８】
【表２】
2015050125.tif 000004
【００７９】
表２の通り、実施例２〜７においても、２段又は３段の膜装置により、微粒子数の少ない高水質の超純水が製造される。【００８０】
［実施例８］
実施例１において、図４に示す通り、第１膜装置１７のＵＦ膜装置と第２膜装置１８のＵＦ膜装置のそれぞれの処理水中の微粒子数を測定する微粒子測定器（Ｌｉｇｈｔｈｏｕｓｅ社製「ＮａｎｏＣｏｕｎｔ２５＋」）３１，３２を設けて超純水の製造を行った。【００８１】
第１膜装置１７及び第２膜装置１８のＵＦ膜装置は、それぞれＵＦ膜モジュール１７Ａ〜１７Ｃ、ＵＦ膜モジュール１８Ａ〜１８Ｃを有し、ＵＦ膜モジュール１７Ｃ，１８Ｃは予備の膜モジュールとし、常時ＵＦ膜モジュール１７Ａ，１７ＢとＵＦ膜モジュール１８Ａ，１８Ｂで処理を行った。【００８２】
このとき、第１膜装置１７において、自動弁Ｖ３とＶ６とＶ２０の切り換え（頻度３０分に１回）により、ＵＦ膜モジュール１７Ａの処理水とＵＦ膜モジュール１７Ｂの処理水と第１膜装置１７の第１膜処理水を順番に微粒子測定器３１に送給して微粒子数の測定を行った。同様に第２膜装置１８においても、自動弁Ｖ１２とＶ１５とＶ３０の切り換え（頻度３０分に１回）により、ＵＦ膜モジュール１８Ａの処理水とＵＦ膜モジュール１８Ｂの処理水と第２膜装置１８の第２膜処理水を順番に微粒子測定器３２に送給して微粒子数の測定を行った。【００８３】
ＵＦ膜モジュール１７ＡとＵＦ膜モジュール１７Ｂの処理水の微粒子数の測定結果から求めた微粒子濃度の経時変化は、図６ａ及び６ｂに示す通りであり、同一の膜装置に設けられたＵＦ膜モジュールであってもロット毎に耐久性に差異があり、ＵＦ膜モジュール１８Ａでは、ＵＦ膜モジュール１８Ｂよりも早期に微粒子リークが始まることが確認された。【００８４】
そこで、ＵＦ膜モジュール１８Ａより微粒子リークが始まった後、直ちに自動弁の切り換えにより、第１膜給水をＵＦ膜モジュール１７ＡとＵＦ膜モジュール１７Ｂに送給する流路から、ＵＦ膜モジュール１７Ｂと予備のＵＦ膜モジュール１７Ｃに送給する流路に切り換えて処理を継続したところ、実施例１と同様に第２膜装置１８より、微粒子濃度１００個／Ｌ以下の高水質の超純水を長期に亘り安定して得ることができた。【００８５】
上記のように、流路切り換えを行わずに、ＵＦ膜モジュール１８Ａから微粒子がリークし始めた後もそのままＵＦ膜モジュール１７ＡとＵＦ膜モジュール１７Ｂでの処理を継続したところ、ＵＦ膜モジュール１７Ａから微粒子がリークし始めてから６００日後には、第２膜装置１８の処理水からも微粒子がリークし始め、超純水の微粒子数管理値を満足することができなくなった。【００８６】
本発明を特定の態様を用いて詳細に説明したが、本発明の意図と範囲を離れることなく様々な変更が可能であることは当業者に明らかである。
本出願は、２０１３年１０月４日付で出願された日本特許出願２０１３−２０９１７５及び２０１４年１月２８日付で出願された日本特許出願２０１４−０１３４７８に基づいており、その全体が引用により援用される。
【符号の説明】
【００８７】
１  前処理システム
２  一次純水システム
３  サブシステム
１７  第１膜装置
１７Ａ，１７Ｂ，１７Ｃ  第１膜モジュール
１８  第２膜装置
１８Ａ，１８Ｂ，１８Ｃ  第２膜モジュール
３０，３１，３２  微粒子測定器
【図１】
2015050125.tif 000005
【図２】
2015050125.tif 000006
【図３】
2015050125.tif 000007
【図４】
2015050125.tif 000008
【図５】
2015050125.tif 000009
【図６】
2015050125.tif 000010
【国際調査報告】
2015050125.tif 000011
2015050125.tif 000012
2015050125.tif 000013
2015050125.tif 000014